(57)【要約】【課題】手動操作部を手動操作しようとする手の一部が誤って操作面に触れた場合に、その接触操作を無効にする確実性の向上を図る。【解決手段】操作装置は、操作プレート１０、電極２３、判定手段５１、出力手段５２、ダイヤル３０（手動操作部）、ダミー電極２５（検出手段）および無効手段５４（検出手段）を備える。操作プレート１０は、操作者の指先により接触操作される操作面１３を形成する。判定手段５１は、指先と電極２３との間で生じる静電容量の変化量に基づき、接触操作の有無を判定する。出力手段５２は、接触操作が為されていると判定されたことを条件として所定の指令信号を出力する。ダミー電極２５および無効手段５４により、ダイヤル３０を操作する位置に操作者の手が存在する操作状態であることが検出されている時には、指令信号の出力を禁止する、または出力された指令信号を無効にする。【選択図】図２
2015215748.tif 000002
【特許請求の範囲】
【請求項１】
操作者の指先により接触操作される操作面（１１、１２、１３、１４、１１１）を形成する操作プレート（１０、１１０）と、
前記操作面に対向する位置に配置された電極（２１、２２、２３、２４、１２１）と、
前記指先と前記電極との間で生じる静電容量の変化量に基づき、前記接触操作の有無を判定する判定手段（５１）と、
前記判定手段により前記接触操作が為されていると判定されたことを条件として、所定の指令信号を出力する出力手段（５２）と、
前記操作プレートに設けられ、前記操作者により機械的に手動操作される手動操作部（３０、１３０、１１０ｂ）と、
前記手動操作部を操作する位置に前記操作者の手が存在する操作状態であることを検出する検出手段（２５、１２５、１２６、１２７、５４）と、
を備え、
前記操作状態であることが前記検出手段により検出されている時には、前記出力手段による前記指令信号の出力を禁止する、または出力された前記指令信号を無効にすることを特徴とする操作装置。
【請求項２】
前記検出手段は、
前記操作状態にある前記操作者の手に対向する位置に配置されたダミー電極（２５、１２５、１２６、１２７）と、
前記操作者の手と前記ダミー電極との間で生じる静電容量の変化量に基づき、前記操作状態であるか否かを判定するダミー用判定手段（５３）と、
を有し、
前記ダミー電極および前記電極は、同一の絶縁シート（２０ａ）に保持されていることを特徴とする請求項１に記載の操作装置。
【請求項３】
前記判定手段は、静電容量の変化量が第１閾値（ＴＨ１）よりも大きくなった場合に前記接触操作が為されていると判定し、
前記ダミー用判定手段は、静電容量の変化量が第２閾値（ＴＨ２）よりも大きくなった場合に前記操作状態であると判定し、
前記第２閾値は前記第１閾値よりも小さい値に設定されていることを特徴とする請求項２に記載の操作装置。
【請求項４】
車両のインストルメントパネル（２）に搭載された操作装置であって、
前記手動操作部は、前記操作者に回転操作される回転体であり、
前記ダミー電極は、前記回転体の周囲の下半分の領域に配置されていることを特徴とする請求項２または３に記載の操作装置。
【発明の詳細な説明】
【技術分野】
【０００１】
本発明は、静電容量式の操作装置に関する。
【背景技術】
【０００２】
静電容量式の操作装置では、操作面を指先で接触操作すると、静電容量の変化が生じることに伴い接触操作が検知される。よって、指先を軽く触れるだけの快適な操作性が得られる。しかしその背反として、意図に反して手の一部が触れてしまった場合にも、接触操作が検知されてしまう。例えば、特許文献１に記載の如く、操作面の近傍にダイヤル（手動操作部）が配置されている場合、ダイヤルを回転操作する手の一部が操作面に触れてしまい、意図に反して接触操作が検知されることがある。
【０００３】
この問題に対し特許文献１では、ダイヤルから出力される信号が変化している時には、操作者の意思はダイヤル操作であって接触操作ではないとみなし、操作面への接触操作を無効にしている。これによれば、ダイヤル操作時に誤って操作面に触れてしまっても、接触操作に基づき各種装置が作動することを回避できる。
【先行技術文献】
【特許文献】
【０００４】
【特許文献１】特開２０１３−２５６１８６号公報
【発明の概要】
【発明が解決しようとする課題】
【０００５】
しかしながら、上記特許文献１では、ダイヤルからの出力信号が変化している時に接触操作を無効にするため、操作者がダイヤルを摘んだだけでは無効にならず、回転操作されて初めて無効になる。そのため、回転操作するべくダイヤルを摘んだ時点で接触操作が検知されるおそれがあり、上記問題を十分に解消できない。
【０００６】
本発明は、上記問題を鑑みてなされたもので、その目的は、手動操作部を手動操作しようとする手の一部が誤って操作面に触れた場合に、その接触操作を無効にする確実性の向上を図った操作装置を提供することにある。
【課題を解決するための手段】
【０００７】
ここに開示される発明は上記目的を達成するために以下の技術的手段を採用する。なお、特許請求の範囲およびこの項に記載した括弧内の符号は、後述する実施形態に記載の具体的手段との対応関係を示すものであって、発明の技術的範囲を限定するものではない。
【０００８】
開示される発明のひとつは、
操作者の指先により接触操作される操作面（１０ａ、１１０ａ）を形成する操作プレート（１０、１１０）と、
操作面に対向する位置に配置された電極（２１、２２、２３、２４、１２１）と、
指先と電極との間で生じる静電容量の変化量に基づき、接触操作の有無を判定する判定手段（５１）と、
判定手段により接触操作が為されていると判定されたことを条件として、所定の指令信号を出力する出力手段（５２）と、
操作プレートに設けられ、操作者により機械的に手動操作される手動操作部（３０、１３０、１１０ｂ）と、
手動操作部を操作する位置に操作者の手が存在する操作状態であることを検出する検出手段（２５、１２５、１２６、１２７、５４）と、を備え、
操作状態であることが検出手段により検出されている時には、出力手段による指令信号の出力を禁止する、または出力された指令信号を無効にすることを特徴とする。
【０００９】
この発明によれば、手動操作部を操作する位置に操作者の手が存在しているだけで、実際に手動操作が為されたか否かに拘らず接触操作が無効になる。よって、手動操作部を操作しようとする手の一部が誤って操作面に触れた場合に、その接触操作を無効にする確実性を向上できる。
【図面の簡単な説明】
【００１０】
【図１】本発明の第１実施形態にかかる操作装置の、車両搭載位置を示す斜視図。
【図２】図１に示す操作装置の正面図。
【図３】図２のＩＩＩ−ＩＩＩ線に沿う断面図。
【図４】操作面を接触操作した場合における、静電容量変化の一態様を示す図。
【図５】ダイヤルを回転操作した場合における、静電容量変化の一態様を示す図。
【図６】本発明の第２実施形態にかかる操作装置の正面図。
【発明を実施するための形態】
【００１１】
以下、本発明にかかる操作装置を、車両に搭載されたものに適用した各実施形態について、図面を参照しつつ説明する。各形態において、先行する形態で説明した事項に対応する部分には同一の参照符号を付して重複する説明を省略する場合がある。各形態において、構成の一部のみを説明している場合は、構成の他の部分については先行して説明した他の形態を参照し適用することができる。
【００１２】
（第１実施形態）
図１は、車両１に搭載されたインストルメントパネル（インパネ２）を室内側から見た斜視図である。インパネ２のうち車両左右方向の中央部分には、表示装置３および操作装置４、５が組み付けられている。
【００１３】
本実施形態では、操作装置４、５による操作対象を、車室内を空調する空調装置６０（図２参照）としている。具体的には、空調装置６０の風量設定、温度設定、自動制御の作動、および停止等が、操作装置４、５により操作される。なお、運転席６側の操作装置４と助手席７側の操作装置５とは、左右対称の形状である点で異なるものの、実質的には同一の構成であるため、以下の説明では助手席７側の操作装置５を主体に説明する。
【００１４】
図２および図３に示すように、操作装置５は、以下に説明する操作プレート１０、電極シート２０、ダイヤル３０およびプリント配線板４０を備えて構成されている。操作プレート１０は、樹脂製の板部材であり、操作者に視認される装飾面１０ａを形成する。装飾面１０ａは、複数の操作面１１、１２、１３、１４を有している。これらの操作面１１〜１４には、操作対象の設定内容を表した文字や記号、図形等が印刷されている。
【００１５】
操作プレート１０のうち装飾面１０ａの反対側の面には、電極シート２０が貼り付けられている。電極シート２０は、複数の電極２１、２２、２３、２４および後述するダミー電極２５を有する。これらの電極２１〜２４およびダミー電極２５は樹脂製の絶縁シート２０ａに保持されている。電極２１〜２４の各々は、対応する操作面１１〜１４の各々に、操作プレート１０および絶縁シート２０ａを挟んで対向するように配置されている。
【００１６】
操作プレート１０には、操作者（車両乗員）により回転操作されるダイヤル３０が設けられている。操作面１１〜１４は操作者により接触操作されるものであるのに対し、ダイヤル３０（手動操作部）は、操作者により機械的に手動操作される。回転体であるダイヤル３０は、操作者の親指Ｆａとそれ以外の指とで摘まれて回転操作されることを想定して構成されている。図３の例では、人差指Ｆｂおよび中指Ｆｃと、親指Ｆａとでダイヤル３０が摘まれている。ダイヤル３０は円柱形状または円筒形状であり、ダイヤル３０の回転中心線は装飾面１０ａに対して垂直である。
【００１７】
電極シート２０に対して操作プレート１０の反対側には、プリント配線板４０が配置されている。プリント配線板４０には、ダイヤル３０の回転操作量および操作方向を検出する回転センサ４０ａ、および複数の光源４３、４４が実装されている。複数の光源４３、４４は、対応する電極２１〜２４に対向するように配置されている。電極２１〜２４には、酸化インジウムスズ等の透明電極が採用されている。また、操作プレート１０には、透光性を有する樹脂部材が採用されており、操作面１１〜１４のうち印刷されていない部分が、光源４３、４４により透過照明される。なお、装飾面１０ａのうち操作面１１〜１４以外の部分には、遮光性を有する塗料が印刷されている。
【００１８】
電極２１〜２４は、静電容量の変化に応じて生じた電圧変化を電気信号として出力する。電極２１〜２４から出力された電気信号（電極信号）は、プリント配線板４０に実装されたマイクロコンピュータ（マイコン５０）に入力される。マイコン５０は、プログラムを記憶する記憶装置、および記憶されたプログラムにしたがって演算処理を実行する中央演算処理装置を備える。マイコン５０は、各種の演算処理を実行することにより、以下に説明する判定手段５１、出力手段５２、ダミー用判定手段５３、無効手段５４として機能する（図２参照）。
【００１９】
判定手段５１は、操作者の指先と電極２１、２４との間で生じる静電容量の変化量（静電検出値）に基づき、操作面１１〜１４が接触操作されたか否かを判定する。図４は、接触操作に伴い生じた静電検出値の変化の一態様を示す。この場合の静電検出値は、指先が操作面１１に近づくにつれて上昇していき、指先が操作面１１に接触した時点で最大値となる。その後、指先が操作面１１から離れていくにつれて下降していく。マイコン５０には、予め設定されている第１閾値ＴＨ１が記憶されている。判定手段５１は、静電検出値が第１閾値ＴＨ１を超えて大きくなったか否かを判定し、第１閾値ＴＨ１を超えるような電極信号が電極２１〜２４から出力されている場合に、該当する電極２１の操作面１１が接触操作されていると判定する。さらに判定手段５１は、静電検出値が第１閾値ＴＨ１を超えた状態が所定時間以上継続したことを条件として、接触操作されていると判定する。
【００２０】
なお、以下の説明では、操作面１１〜１４と、各々の操作面１１〜１４に対応する電極２１〜電極２４とをまとめて、第１静電スイッチＳＷ１、第２静電スイッチＳＷ２、第３静電スイッチＳＷ３、第４静電スイッチＳＷ４と記載する。静電スイッチＳＷ１〜ＳＷ４の各々に設定された第１閾値ＴＨ１は、全て同一の値に設定されている。すなわち、全ての静電スイッチＳＷ１〜ＳＷ４は、同一の感度で接触操作が為されるように設定されている。
【００２１】
出力手段５２は、判定手段５１により接触操作が為されていると判定されたことを条件として、空調装置６０へ所定の指令信号を出力する。なお、ダイヤル３０の回転操作に伴い回転センサ４０ａから出力される電気信号（ダイヤル信号）は、電極信号とは別に、マイコン５０から空調装置６０へ常時出力される。
【００２２】
さて、通常、操作面１１〜１４を接触操作すれば図４の如く静電検出値が変化する。しかしながら、ダイヤル３０を回転操作する際に、ダイヤル３０を摘んでいる指（例えば親指Ｆａ）が図３に例示する如く操作面１３に近づいたり、接触したりすることがある。この場合、操作面１３に対応する電極２４により検出される静電検出値が、図５中の点線に例示するように第１閾値ＴＨ１を超える程に上昇する場合がある。その結果、判定手段５１により接触操作が為されていると判定され、操作者の意図に反した内容で空調装置６０が作動することが懸念される。
【００２３】
この懸念に対し本実施形態では、以下に説明する検出手段および無効手段５４（図２参照）を備える。上記検出手段は、ダイヤル３０を回転操作する位置に操作者の手が存在する回転操作状態であることを検出する。この検出手段は、図２に示すダミー電極２５およびダミー用判定手段５３により提供される。
【００２４】
ダミー電極２５は、電極２１〜２４と同様にして絶縁シート２０ａに保持されており、回転操作状態にある操作者の手に対向する位置に配置されている。換言すれば、ダイヤル３０の外周面のうち少なくとも一部分に対向する位置に、ダミー電極２５は配置されている。ダミー電極２５は、ダイヤル３０の周囲の少なくとも下半分の領域、つまりダイヤル３０の中心を通る水平線３０Ｌ（図２参照）の少なくとも下側の領域に配置されている。
【００２５】
ダミー用判定手段５３は、操作者の指先とダミー電極２５との間で生じる静電容量の変化量（静電検出値）に基づき、上述した回転操作状態であるか否かを判定する。図５は、ダイヤル３０の回転操作に伴い親指Ｆａがダミー電極２５および電極２３に近づいた場合における、電極２３およびダミー電極２５による静電検出値の変化の一態様を示す。
【００２６】
図５中の実線に示すように、ダミー電極２５による静電検出値は、ダイヤル３０を摘む位置に親指Ｆａが近づくにつれて上昇していき、親指Ｆａがダイヤル３０を摘んだ時点で最大値となる。その後、ダイヤル３０を回転操作することに伴いダミー電極２５と親指Ｆａとの距離が脈動し、その結果、静電検出値も脈動する。マイコン５０には、予め設定されている第２閾値ＴＨ２が記憶されている。ダミー用判定手段５３は、静電検出値が第２閾値ＴＨ２を超えて大きくなったか否かを判定し、第２閾値ＴＨ２を超えるような電極信号がダミー電極２５から出力されている場合に、ダイヤル３０が指で摘まれた回転操作状態であると判定する。さらにダミー用判定手段５３は、静電検出値が第２閾値ＴＨ２を超えた状態が所定時間以上継続したことを条件として、接触操作されていると判定する。
【００２７】
図５の例では、ダイヤル３０を摘んだ時点で、静電検出値が第２閾値ＴＨ２を超えており、回転操作状態であると判定されることとなる。また、回転操作している最中も、脈動する静電検出値が第２閾値ＴＨ２を超えているため、回転操作状態であると判定される。なお、第２閾値ＴＨ２は第１閾値ＴＨ１よりも小さい値に設定されている。
【００２８】
図５中の点線に示すように、電極２３による静電検出値は、ダイヤル３０を摘む位置に親指Ｆａが近づくにつれて上昇していく。そして、回転操作する手の一部が操作者の意図に反して操作面１３に触れたり、例えばダイヤル３０を摘む親指Ｆａが操作面１３に近接したりする場合がある。この場合には、第３静電スイッチＳＷ３にかかる静電検出値が第１閾値ＴＨ１を超えてしまい、判定手段５１は接触操作されていると誤検知する。
【００２９】
この問題に対し本実施形態では無効手段５４を備える。無効手段５４は、ダミー用判定手段５３により回転操作状態であると判定されている時には、出力手段５２による指令信号を空調装置６０へ出力することを禁止する。本実施形態では、全ての静電スイッチＳＷ１〜ＳＷ４について、無効手段５４により無効化され得るように設定されている。
【００３０】
以上により、本実施形態によれば、回転操作状態であることが検出されている時には、空調装置６０への指令信号の出力が禁止される。そのため、ダイヤル３０が実際に回転していなくても、ダイヤル３０を摘んだだけで静電スイッチＳＷ１〜ＳＷ４の接触操作が無効になる。よって、回転操作する前のダイヤル３０を摘んだ時点において、静電スイッチＳＷ１〜ＳＷ４の接触操作が検知されることを回避できる。
【００３１】
さらに本実施形態によれば、静電スイッチＳＷ１〜ＳＷ４の電極２１〜２４とダミー電極２５とは、同一の絶縁シート２０ａに保持されている。そのため、ダミー電極２５専用の絶縁シートを不要にできるので、検出手段を備えることによる部品点数増大を抑制できる。
【００３２】
ここで、静電スイッチＳＷ１〜ＳＷ４の場合には操作面１１〜１４に接触していることの検知が要求されるのに対し、ダミー電極２５の場合には、ダイヤル３０を摘んでいる手が装飾面１０ａに接触しているとは限らないので、接触していない場合であっても検知することが要求される。この点に着目した本実施形態では、回転操作状態の判定に用いる第２閾値ＴＨ２は、静電スイッチＳＷ１〜ＳＷ４の接触操作の判定に用いる第１閾値ＴＨ１よりも小さい値に設定されている。そのため、回転操作状態の検知が接触操作に比べて高感度になるので、回転操作状態の検知を見逃す懸念を低減できる。
【００３３】
ここで、運転席６または助手席７に着座した状態で操作者がダイヤル３０を摘む場合、ダイヤル３０周囲の下半分の領域に親指Ｆａが位置する蓋然性が高い。この点に着目した本実施形態では、上記下半分の領域にダミー電極２５が配置されている。よって、回転操作状態の検知を見逃す懸念を低減できる。
【００３４】
さらに本実施形態によれば、ダミー電極２５は、ダイヤル３０の周囲に沿って延びる形状であり、かつ、均一の幅で延びる形状である。そのため、ダミー電極２５の部位によって回転操作状態を検知する感度にムラが生じることを抑制できる。
【００３５】
（第２実施形態）
上記第１実施形態では、操作者により機械的に手動操作される手動操作部が、回転操作されるダイヤル３０である。これに対し、図６に示す本実施形態では、操作者により機械的に手動操作される手動操作部が、以下に詳述する押釦スイッチ１３０および挿入口１１０ｂである。
【００３６】
図６に示す操作装置が備える操作プレート１１０は、操作者に視認される装飾面１０ａを形成し、その装飾面１１０ａは、図２と同様にして複数の操作面１１１を有している。操作プレート１０の裏側には図３と同様の電極シート（図示せず）が配置されており、この電極シートは複数の電極１２１を有する。図６中の符号ＳＷは、操作面１１１とその操作面１１１に対応する電極１２１とをまとめて表現している。
【００３７】
装飾面１１０ａには、複数の静電スイッチＳＷが配置される静電スイッチ領域が設定されている。装飾面１１０ａのうち静電スイッチ領域の上側部分には、押釦スイッチ１３０が設けられている。この押釦スイッチ１３０は、ハザードランプの点滅作動を指令する押釦式のスイッチであり、操作者により機械的に手動操作される手動操作部を提供する。押釦スイッチ１３０は、操作者の指で押動操作されることを想定して構成されている。押動操作される方向は装飾面１０ａに対して垂直である。
【００３８】
また、装飾面１１０ａのうち押釦スイッチ１３０の上側部分には、記憶媒体としてのディスクを挿入する挿入口１１０ｂが設けられている。ディスクに記憶される情報の具体例としては、ナビゲーション装置で用いられる地図情報や、オーディオ装置で用いられる楽曲情報等が挙げられる。
【００３９】
電極シートは、複数の電極１２１および以下に説明するダミー電極１２５、１２６、１２７を有する。これらの電極１２１およびダミー電極１２５、１２６、１２７は同一の絶縁シート２０ａに保持されている。本実施形態に係る検出手段は、押釦スイッチ１３０を押動操作する位置に操作者の手が存在する押動操作状態であることを検出する。さらに検出手段は、挿入口１１０ｂへの挿入操作を行う位置に操作者の手が存在する挿入操作状態であることを検出する。この検出手段は、図６に示すダミー電極１２５、１２６、１２７および後述するダミー用判定手段により提供される。
【００４０】
第１のダミー電極１２５は、押動操作状態にある操作者の手に対向する位置に配置されている。換言すれば、押釦スイッチ１３０の周囲のうち少なくとも一部分に対向する位置に、第１のダミー電極１２５は配置されている。具体的には、押釦スイッチ１３０の周囲のうち押釦スイッチ１３０と静電スイッチ領域との間の領域に、第１のダミー電極１２５は配置されている。
【００４１】
第２のダミー電極１２６および第３のダミー電極１２７は、挿入操作状態にある操作者の手に対向する位置に配置されている。換言すれば、挿入口１１０ｂの周囲のうち少なくとも一部分に対向する位置に、第２および第３のダミー電極１２６、１２７は配置されている。具体的には、挿入口１１０ｂの周囲のうち挿入口１１０ｂと押釦スイッチ１３０との間の領域に、第２のダミー電極１２６は配置されている。また、挿入口１１０ｂの周囲のうち挿入口１１０ｂの上側部分に、第３のダミー電極１２７は配置されている。
【００４２】
本実施形態に係るダミー用判定手段は、操作者の指先と第１のダミー電極１２５との間で生じる静電容量の変化量（静電検出値）に基づき、上述した押動操作状態であるか否かを判定する。さらにダミー用判定手段は、第２のダミー電極１２６または第３のダミー電極１２７と、操作者の指先との間で生じる静電容量の変化量（静電検出値）に基づき、上述した挿入操作状態であるか否かを判定する。
【００４３】
本実施形態に係る無効手段は、ダミー用判定手段により押動操作状態または挿入操作状態であると判定されている時には、出力手段による指令信号を空調装置等の外部装置へ出力することを禁止する。本実施形態では、全ての静電スイッチＳＷについて、無効手段により無効化され得るように設定されている。
【００４４】
以上により、本実施形態によれば、押動操作状態であることが検出されている時には、外部装置への指令信号の出力が禁止される。そのため、押釦スイッチ１３０が実際に押し動かされていなくても、押釦スイッチ１３０に触れただけで静電スイッチＳＷの接触操作が無効になる。よって、押動操作する前の押釦スイッチ１３０に触れた時点において、静電スイッチＳＷの接触操作が検知されることを回避できる。
【００４５】
また、本実施形態によれば、挿入操作状態であることが検出されている時には、外部装置への指令信号の出力が禁止される。そのため、ディスクが実際に挿入口１１０ｂへ挿入されていなくても、ディスクを持つ手を挿入口１１０ｂに近づけただけで静電スイッチＳＷの接触操作が無効になる。よって、挿入操作する前の挿入口１１０ｂに手を近づけた時点において、静電スイッチＳＷの接触操作が検知されることを回避できる。
【００４６】
（他の実施形態）
以上、発明の好ましい実施形態について説明したが、発明は上述した実施形態に何ら制限されることなく、以下に例示するように種々変形して実施することが可能である。各実施形態で具体的に組合せが可能であることを明示している部分同士の組合せばかりではなく、特に組合せに支障が生じなければ、明示してなくとも実施形態同士を部分的に組み合せることも可能である。
【００４７】
上記各実施形態では、回動操作状態、押動操作状態および挿入操作状態を検出する検出手段は、ダミー電極２５、１２５、１２６、１２７による静電容量変化の検知で実現されている。これに対し、各種の操作状態を光センサ（検出手段）で検出するようにしてもよい。
【００４８】
上記各実施形態では、操作装置４、５による操作対象を空調装置６０としているが、空調装置６０以外の装置、例えばナビゲーション装置やオーディオ装置等を、操作装置４、５による操作対象としてもよい。
【００４９】
上記各実施形態では、検出手段により操作状態が検出された場合には、全ての静電スイッチＳＷ１〜ＳＷ４、ＳＷを無効にしている。これに対し、上記操作状態が検出された場合に、誤操作される可能性の高い一部のスイッチを無効にするようにしてもよい。例えば図２において、操作状態が検出された場合に、ダイヤル３０の下方に位置する静電スイッチＳＷ３、ＳＷ４については無効にし、ダイヤル３０の上方に位置する静電スイッチＳＷ１、ＳＷ２については有効な状態を継続させてもよい。
【００５０】
上記各実施形態では、静電スイッチの接触操作により指令信号を外部装置へ出力することを、操作状態が検出された場合に禁止させている。これに対し、操作状態が検出された場合であっても指令信号の出力を許可し、その場合には無効指令信号をマイコン５０が外部装置に出力するようにしてもよい。この無効指令信号は、指令信号を無効にするように外部装置へ指令する信号である。外部装置は、指令信号とともに無効指令信号を受信した場合、指令信号を無効にして、指令信号が出力されなかったものとみなす。
【００５１】
上記各実施形態では、静電スイッチＳＷ１〜ＳＷ４、ＳＷを構成する電極２１〜２４、１２１とダミー電極２５、１２５、１２６、１２７とは、同一の絶縁シート２０ａに保持されている。これに対し、電極２１〜２４、１２１を保持する絶縁シート２０ａとは別の絶縁シートに、ダミー電極２５、１２５、１２６、１２７を保持させてもよい。
【００５２】
上記各実施形態では、検出手段により操作状態が検出されている時に静電スイッチが接触操作を検知した場合には、接触操作の開始タイミングに拘らず、指令信号の出力を禁止して無効にさせている。これに対し、接触操作の開始タイミングが操作状態の検出開始タイミングより早かった場合には、指令信号の出力を許可するようにしてもよい。
【００５３】
図１に示す実施形態では、本発明に係る操作装置を、車両に搭載された操作装置に適用させているが、本発明は車載操作装置に限定されるものではない。すなわち、静電スイッチおよび手動操作部を備えた操作装置であれば、車両以外に搭載されたものにも本発明は適用可能である。
【符号の説明】
【００５４】
１０、１１０…操作プレート、１１、１２、１３、１４、１１１…操作面、２１、２２、２３、２４、１２１…電極、２、１２５、１２６、１２７５…ダミー電極（検出手段）、３０…ダイヤル（手動操作部）、５１…判定手段、５２…出力手段、５４…無効手段（検出手段）、１３０…押釦スイッチ（手動操作部）、１１０ｂ…挿入口（手動操作部）。
【図１】
2015215748.tif 000003
【図２】
2015215748.tif 000004
【図３】
2015215748.tif 000005
【図４】
2015215748.tif 000006
【図５】
2015215748.tif 000007
【図６】
2015215748.tif 000008